(57)【要約】【解決手段】  本発明は連続測位プロセスにおいて測位システムの性能を高める方法及びシステムを公開し、この方法は移動通信測位システムに使用され、主なステップは、連続測位プロセスにおいて、移動測位センターが位置所属レジスタへ移動端末の状態の検索要請を送信することと、位置所属レジスタが検索要請を受信することと、移動端末の現時点の状態応答メッセージを返すことと、移動測位センターが移動端末の現時点の状態によって移動端末に対する測位処理を行いあるいは移動端末に対する測位処理を終止することとを含む。本方法は、一方、実際の使用中において連続測位が既に終了となったが、測位センターと測位実体はタイムリーにリソースを解放しない情况を回避し、測位センターと測位実体とのリソース利用率を高め、測位システム全体の性能を改善する。一方、特殊業界の応用においてユーザーに対する連続追跡を行う要求を満足させ、ユーザー端末の再起動の後にその前の連続測位を続行できないことを免れる。
2011517521.tif 000002
【特許請求の範囲】
【請求項１】
移動測位センターと、位置所属レジスタと、移動端末とを含む移動通信測位システムに用いられ、連続測位プロセスにおいて測位システムの性能を高める方法であって、
連続測位プロセスにおいて、前記移動測位センターが前記位置所属レジスタへ移動端末の状態の検索要請を送信し、前記位置所属レジスタが前記検索要請を受信し、前記移動端末の現時点の状態の応答メッセージを返し、そして、前記移動測位センターが前記移動端末の現時点の状態に基づいて前記移動端末に対する測位処理を行うことあるいは終止することを特徴とする測位システムの性能を高める方法。
【請求項２】
前記現時点の状態は正常状態と非正常状態とが含まれ、前記非正常状態は移動端末のシャットダウンと、移動端末の現時点の到達不可と、移動端末の現時点の状態の取得不可能とのうち、少なくとも一つが含まれることを特徴とする請求項１に記載の連続測位プロセスにおいて測位システムの性能を高める方法。
【請求項３】
前記現時点の状態は正常状態である時に、前記連続測位を続行し、前記現時点の状態は移動端末のシャットダウンと、移動端末の現時点の到達不可と、移動端末の現時点の状態の取得不可能とのうち、少なくともそれらの一つである時に、前記移動測位センターは前記移動端末の状態が正常に回復した後に移動端末へ改めて通知を送信して、新しい連続測位を行い続けるように測位要請を触発することを特徴とする請求項２に記載の連続測位プロセスにおいて測位システムの性能を高める方法。
【請求項４】
前記移動測位センターが前記移動端末へ改めて通知を送信して測位要請を触発する方式はショートメッセージの発送と、ワッププッシュ（ＷＡＰ ＰＵＳＨ）メッセージの発送とのうち、少なくとも一つを含むことを特徴とする請求項３に記載の連続測位プロセスにおいて測位システムの性能を高める方法。
【請求項５】
前記移動通信測位システムは、さらに、測位実体を含み、且つ前記連続測位プロセスにおいて、当前記移動測位センターが予定時間内に前記移動端末からの位置結果の報告を取得しなかったときに、前記移動測位センターは前の連続測位を終止して、前記測位実体へ測位取り消し要請を送信することを特徴とする請求項１に記載の連続測位プロセスにおいて測位システムの性能を高める方法。
【請求項６】
前記移動通信測位システムはさらに測位クライアントを含み、且つ前記移動測位センターが前記測位実体へ測位取り消し要請を送信した後に、前記移動測位センターは測位クライアントと呼び出しユーザーの権限に基づいて追跡測位を行い続ける必要があるかどうかを判断して、必要でなければ、リソースを解放しプロセスを終了して、前記移動端末に対する測位処理を終止し、必要であれば、前記位置所属レジスタへ要請を送信し、前記移動端末の現時点の状態を検索することを特徴とする請求項５に記載の連続測位プロセスにおいて測位システムの性能を高める方法。
【請求項７】
前記移動測位センターは前記測位クライアントと呼び出しユーザーの権限に基づいて追跡測位を行い続ける必要があるかどうかを判断した後に、追跡測位が必要であれば、今回の連続測位の任務標識を記録しなければならないことを特徴とする請求項６に記載の連続測位プロセスにおいて測位システムの性能を高める方法。
【請求項８】
追跡測位を続行する必要があれば、さらに今回の連続測位の開始時間と終了時間と、追跡時間間隔と、測位要請を発起する測位クライアントの標識と、測位要請を発起する呼び出しユーザーの標識と、追跡測位された移動端末の標識とを記録しなければならないことを特徴とする請求項７に記載の連続測位プロセスにおいて測位システムの性能を高める方法。
【請求項９】
前記移動端末が非正常状態であるときに、前記移動測位センターは今回の連続測位要請の前記追跡時間の間隔に基づいて前記測位クライアントへ測位結果を報告し、且つ前記報告結果は前記連続測位の任務標識を含む必要があることを特徴とする請求項８に記載の連続測位プロセスにおいて測位システムの性能を高める方法。
【請求項１０】
連続測位プロセスにおいて、位置所属レジスタへ移動端末の状態の検索要請を送信し、且つ前記位置所属レジスタから返された移動端末の現時点の状態応答メッセージにキャリーされた前記移動端末の現時点の状態によって、前記移動端末に対して測位処理を行うあるいは終止することに用いられる移動測位センターと、
前記検索要請を受信し、且つ前記移動端末の現時点の状態応答メッセージを返すことに用いられる前記位置所属レジスタと、
を含むことを特徴とする移動通信測位システム。
【請求項１１】
前記移動測位センターは、さらに前記現時点の状態が正常状態である時に前記連続測位を続行して、現時点の状態が移動端末のシャットダウンと、移動端末の現時点の到達不可と、移動端末の現時点の状態の取得不可能とのうち、少なくとも一つである場合、前記移動端末の状態が正常に回復した後に移動端末へ改めて通知を送信して、新しい連続測位を行い続けるように測位要請を触発することに用いられることを特徴とする請求項１０に記載の移動通信測位システム。
【請求項１２】
前記連続測位プロセスにおいて、前記移動測位センターは予定時間内に移動端末からの位置結果報告を取得しなかった場合、移動測位センターからの測位取り消し要請を受信することに用いられる測位実体を含むことを特徴とする請求項１０に記載の移動通信測位システム。
【請求項１３】
前記移動通信測位システムはさらに測位クライアントを含み、前記移動測位センターは、さらに、前記測位実体へ測位取り消し要請を送信した後に、前記測位クライアントと呼び出しユーザーの権限に基づいて追跡測位を行い続ける必要があるかどうかを判断して、必要でなければ、リソースを解放しプロセスを終了し、移動端末に対する測位処理を終止し、必要であれば、位置所属レジスタへ要請を送信し、移動端末の現時点の状態を検索することに用いられることを特徴とする請求項１２に記載の移動通信測位システム。
【発明の詳細な説明】
【技術分野】
【０００１】
本発明は、移動通信ネットワークに関し、特に連続測位プロセスにおける測位システムの性能を高める方法及びシステムに関する。
【背景技術】
【０００２】
位置情報サービス（Ｌｏｃａｔｉｏｎ Ｂａｓｅｄ Ｓｅｒｖｉｃｅｓ、略してＬＢＳと呼ばれる。）は、あるいは移動位置サービスまたは測位サービスと呼ばれて、移動ネットワークが特定の測位技術により移動端末の地理位置情報（経緯度座標）を取得し、移動ユーザー本人、通信システムまたは第三者へ提供するものであって、そして、ある程度の電子地図情報のサポートにより、移動ユーザーへその位置に関連する呼び出し類または非呼び出し類のサービスを提供する。
【０００３】
移動通信網の測位方式においては、セルに基づく測位と、伝統的なグローバルポジショニングシステム（Ｇｌｏｂａｌ Ｐｏｓｉｔｉｏｎｉｎｇ Ｓｙｓｔｅｍ、略してＧＰＳと呼ばれる。）システムに基づく測位と、高級的前リンク三辺測量術（Ａｄｖａｎｃｅｄ Ｆｏｒｗａｒｄ Ｌｉｎｋ Ｔｒｉｌａｔｅｒａｔｉｏｎ、略してＡＦＬＴと呼ばれる。）に基づく測位及び補助的ＧＰＳ（Ａｓｓｉｓｔｅｄ ＧＰＳ、略してＡＧＰＳと呼ばれる。）の測位等のいくつかの方式が含まれる。この中でＡＧＰＳ測位はＧＰＳ測位と移動通信システムとを結合する測位方式であり、速くて、精度の高い測位で幅広く応用されている。
【０００４】
図１は、ＡＧＰＳ技術に基づく移動通信ネットワークシステムユーザーの測位システム実体構成の見取り図である。この測位システムは主に移動端末と、移動測位センターと、測位実体と、ＧＰＳ衛星信号受信機と、ＧＰＳ衛星とを含む。その中、
移動端末は測位サービスのユーザ側の設備であり、主な機能は移動端末測位関連の計測情報を提供し、移動通信網を通じて測位実体とシグナルをインタラクトすることを完成しながら、一部の測位サービスの応用を実現することを完成する。移動端末は測位実体から補助的なデータをダウンロードして位置計算を完成することもでき、これは移動端末チップによって決められる。
【０００５】
移動測位センターは測位サービスを実現する核心的な実体であり、それの主な機能は測位プロセスを制御することと、各測位実体とインタラクトすること及びユーザーの位置情報の記憶と提供すること等を含む。
【０００６】
測位実体の機能は、主に移動端末よりネットワーク側まで送信された情報を処理し、これが管理する基地局の地理位置情報とＧＰＳ衛星のデータに基づいて移動端末の位置を算出するまたは移動端末へ計測に必要なＧＰＳ衛星検索用の補助的なデータと位置計算用の基地局地理位置情報データを提供する。
【０００７】
ＧＰＳ衛星信号受信機の主な機能は、ＧＰＳ衛星信号データを受信して、それを測位実体へ送信することである。
【０００８】
ＧＰＳ衛星の機能はリアルタイムに衛星信号データを送信することである。
【０００９】
従来の測位方法は、中国聯通従業者標準「８００ＭＨｚ ＣＤＭＡ デジタルセルラー移動通信網Ｖ２測位サービスユーザー平面関連設備技術要求」、「中国聯合通信有限会社ＣＤＭＡ１Ｘデジタルセルラー移動通信網移動端末規範」、中国電信従業者標準《中国電信ＣＤＭＡネットワーク測位サービス設備規範》、国際標準《ＡＮＳＩ ＴＩＡ/ＥＩＡ-ＩＳ-８０１ Ｐｏｓｉｔｉｏｎ Ｄｅｔｅｒｍｉｎａｔｉｏｎ Ｓｅｒｖｉｃｅ Ｓｔａｎｄａｒｄ ｆｏｒ Ｄｕａｌ Ｍｏｄｅ Ｓｅｐａｒａｔｅ Ｓｐｅｃｔｒｕｍ Ｓｙｓｔｅｍｓ》を参考にできる。ここで、ＣＤＭＡ（Ｃｏｄｅ Ｄｉｖｉｓｉｏｎ Ｍｕｌｔｉｐｌｅ Ａｃｃｅｓｓ）は符号分割多重アクセスである。
【００１０】
従来の通信網の連続測位のプロセスは、測位プロセスにおいて、移動端末のシャットダウンまたは再起動等異常な状況を考慮しない。
【００１１】
図２は、従来の通信網において、ネットワーク側より発起した一回の追跡型連続測位プロセスのフローチャートであって、下記のステップを含む。
【００１２】
ステップＳ２１において、ある移動端末に対する追跡型連続測位の要請を測位クライアントより移動測位センターへ発起する。
【００１３】
ステップＳ２２において、移動測位センターより移動端末へショートメッセージを送信して測位要請を触発する。
【００１４】
ステップＳ２３において、移動端末が測位プロセスを起動する要請を発起する。
【００１５】
ステップＳ２４において、移動測位センターが対応する測位実体を選択し、その測位実体へ地理位置情報要請を送信する。
【００１６】
ステップＳ２５において、測位実体が移動測位センターの地理位置情報の応答メッセージを返し、測位開始可を指示する。
【００１７】
ステップＳ２６において、移動測位センターが移動端末の測位起動要請の応答を返し、測位実体のＩＰアドレスとポート番号を指示する。
【００１８】
ステップＳ２７において、移動測位センターが今回の測位の任務標識を割り当て、測位クライアントの位置要請の返答を返す。
【００１９】
ステップＳ２８において、移動端末が測位実体と位置データのインタラクトを行い、補助的な測位データ等をダウンロードする。
【００２０】
ステップＳ２９において、測位実体が最終の位置計算を完成した後に、移動測位センターへ地理位置結果を送信する。
【００２１】
ステップＳ２１０において、移動端末が移動測位センターへ位置報告を送信する。
【００２２】
ステップＳ２１１において、移動測位センターが移動端末へ位置報告の応答を返す。
【００２３】
ステップＳ２１２において、移動測位センターが移動端末の位置結果を測位クライアントへ送信する。
【００２４】
ステップＳ２１３において、一定の時間の後に、移動端末が現時点の無線セルのパラメーターを取得し、移動測位センターへセル情報を含む位置報告を送信する。
【００２５】
ステップＳ２１４において、移動測位センターが移動端末へ位置報告の応答を返す。
【００２６】
ステップＳ２１５において、移動測位センターが移動端末の位置結果を測位クライアントへ送信する。
【００２７】
従来の通信網の連続プロセスにおいて、移動測位センターと測位実体にとっては、一旦追跡測位を開始すると、追跡終了時間に達しないと連続測位プロセスを終止してリソースを解放することができない。しかし、実際の応用においては、連続測位プロセスにて移動端末がシャットダウンされるあるいは再起動される等の情况がよくあって、その時、移動端末が測位実体とインタラクトし位置結果を移動測位センターへ送信することは続行しないため、実際には連続測位プロセスはすでに終止する。これは以下の二つの結果を導く。
【００２８】
まず、移動測位センターと測位実体のリソースがタイムリーに解放できないため、測位システムの性能とリソースの有効的な利用が低下する。
【００２９】
また、ある特殊応用の場合（たとえば、重要業界の物流追跡、安全部門はある移動端末に対する追跡）にとっては、移動端末の状態が正常に回復したとしても、測位クライアントはタイムリーに効果的に移動端末の最新位置を取得することができない。
【発明の概要】
【発明が解決しようとする課題】
【００３０】
本発明が解決しようとする技術問題は、連続測位プロセスにおいて各情况で終始タイムリーに移動端末を追跡するとともに、測位システムの性能を高める方法及び移動通信測位システムを提供することにあって、この方法は移動端末のシャットダウンあるいは再起動の後に移動端末に対する追跡を続行することに用いられる。
【００３１】
上述の目的を実現するように、本発明は連続測位の時に測位システムの性能を高める方法を提供し、この方法は測位クライアントと移動測位センターと位置所属レジスタと測位実体と移動端末とを含む移動通信測位システムに用いられる。
【課題を解決するための手段】
【００３２】
連続測位プロセスにおいて、移動測位センターが位置所属レジスタへ移動端末の状態の検索の要請を送信し、位置所属レジスタが検索要請を受け入れて移動端末の現時点の状態の応答メッセージを返し、移動測位センターが移動端末の現時点の状態に基づいて移動端末に対して測位処理を行うあるいは終止することを含むことを特徴とする。
【００３３】
上述の目的を実現するために、本発明は移動通信測位システムも提供する。
【００３４】
本発明に基づいた移動通信測位システムは、連続測位プロセスにおいて、位置所属レジスタへ移動端末の状態の検索要請を送信し、位置所属レジスタから返された移動端末の現時点の状態の応答メッセージにキャリーされる移動端末の現時点の状態に基づいて移動端末に対して測位処理を行うあるいは測位処理を終止することに用いられる移動測位センターと、検索要請を受信して、移動端末の現時点の状態の応答メッセージを返すことに用いられる位置所属レジスタとを含む。
【００３５】
従来の技術と比べて、本発明は、移動端末のシャットダウンあるいは再起動の後に測位プロセスを追加することで、効果的に測位センターと測位実体とのリソース占用を減少できるとともに、移動端末の状態が正常に回復した後に、追跡を続行して、測位クライアントがタイムリーに移動端末の最新位置を取得することを確保できる效果を備える。
【００３６】
以下、添付図面と具体的実施の形態を結合して、本発明に対して詳細に説明するが、本発明を限定するものではない。
【図面の簡単な説明】
【００３７】
【図１】ＡＧＰＳ測位システムの実体構成の見取り図である。
【図２】従来の通信網においてネットワーク側より発起する追跡測位プロセスのフローチャートである。
【図３】本発明の実施の形態に基づいてネットワーク側より積極的に追跡測位を発起するときに、移動端末がシャットダウンあるいは再起動した後の測位プロセスのフローチャートである。
【図４】本発明の実施の形態に基づいてネットワーク側より積極的に追跡測位を発起するときに、移動端末がシャットダウンあるいは再起動した後の一つの応用実例のフローチャートである。
【図５】本発明の実施の形態に基づく移動通信測位システムの構成のブロック図である。
【発明を実施するための形態】
【００３８】
以下、添付図面を結合して、追跡測位を例として測位システムの性能を改善する方法を説明する。
【００３９】
本発明が提供する連続測位プロセスにおける測位システムの性能を高める方法は、主に以下のステップを含む。
【００４０】
ステップ１において、連続測位プロセスにおいて、移動測位センターが長時間に移動端末からの位置結果報告を取得できなかった場合、移動測位センターは前の連続測位を終止して、測位実体へ測位取り消し要請を送信する。
【００４１】
ステップ２において、移動測位センターが測位クライアント及び呼び出しユーザーの権限に基づいて追跡測位を続行する必要があるかどうかを判断し、必要でなければ、リソースを解放しプロセスを終了する。必要であれば、位置所属レジスタへ要請を送信して、移動端末の現時点の状態を検索する。
【００４２】
ステップ３において、位置所属レジスタが返した結果には現時点の移動端末が非正常状態と示されるときに、移動測位センターはある程度の時間を隔たった後に位置所属レジスタへ要請を送信することを続行して、追跡終了時間に達するまであるいは移動端末の状態が正常に回復するまで移動端末の現時点の状態を検索する。
【００４３】
ステップ４において、位置所属レジスタが返した結果には現時点の移動端末の状態が正常と示される時に、移動測位センターは移動端末へ改めてショートメッセージを送信して、新しい連続測位を行い続けるように改めて測位要請を触発して、新しい連続測位プロセスにおいて、測位クライアントへ位置要請の応答を送信しなくてもよいが、取得した位置結果を測位クライアントへ報告することが必要である。
【００４４】
上述の連続測位の時に、測位システムの性能を高める方法において、ステップ１は、さらに、長時間の判断に対して予め設置された時間を採用してもよく、今回の連続測位の時間の間隔にある係数をかけることによって取得してもよいことを含む。
【００４５】
上述の連続測位の時に、測位システムの性能を高める方法において、ステップ2は、さらに、移動測位センターが測位を終止する時に、追跡測位を続行する必要があれば、今回の連続測位の開始と終了の時間と、追跡時間の間隔と、測位要請を発起した測位クライアント標識と、測位要請を発起した呼び出しユーザーの標識と、追跡測位された移動端末の標識と、今回の連続測位の任務標識とを記録しなければならないことを含む。
【００４６】
上述の連続測位の時に、測位システムの性能を高める方法において、ステップ３は、さらに、移動端末がシャットダウンする時に、移動測位センターは今回の連続測位要請における追跡時間の間隔に基づいて測位クライアントへ測位結果（結果メッセージにおいて測位が失敗したことを指示する。）を報告する必要があることを含む。
【００４７】
上述の連続測位の時に、測位システムの性能を高める方法において、ステップ４は、さらに、移動測位センターが位置クライアントへ結果を報告する時に、ステップ２で記憶された連続測位の任務標識を含めなければならないことを含む。
【００４８】
図３は、実施の形態のネットワーク側から積極的に追跡測位を発起する時にシステムの性能を改善するプロセスのフローチャートであり、このプロセスは以下のステップを含む。
【００４９】
ステップＳ３１において、連続測位プロセスにおいて、移動測位センターは長時間、移動端末からの位置報告メッセージを受信しなかった。移動測位センターが長時間を判断する根拠は、前回の位置報告を受信した後から、時間が既に予め設置された最大間隔に達し、または既に連続測位の時間の間隔の何倍かに達したことである。
【００５０】
ステップＳ３２において、移動測位センターは測位実体へ地理位置要請を取り消すように送信して、測位実体にリソースを解放し且つ現時点の追跡測位を取り消すことを知らせる。
【００５１】
ステップＳ３３において、移動測位センターは測位クライアント及び呼び出しユーザーの権限に基づいて追跡を行う必要があるかどうかを判断して、必要であれば、ステップＳ３４を実行し、必要でなければ、ステップＳ３１０を実行する。
【００５２】
移動測位センターは追跡測位を続行する必要があると判断したときに、今回の連続測位の開始と終了の時間と、追跡時間の間隔と、測位要請を発起する測位クライアントの標識と、測位要請を発起する呼び出しユーザーの標識と、追跡測位される移動端末の標識と、今回の連続測位の任務標識とを記録する必要がある。
【００５３】
ステップＳ３４において、移動測位センターは現時点の時間が追跡終了時間に達したかどうかを判断して、達したらステップＳ３１０を実行し、達しなかったらステップＳ３５を実行する。
【００５４】
ステップＳ３５において、移動測位センターは位置所属レジスタへ移動端末の現時点の状態を検索するように要請を送信する。
【００５５】
ステップＳ３６において、移動測位センターは位置所属レジスタより返したメッセージに基づいて現時点の移動端末の状態を取得し、移動端末の現時点の状態が正常であれば、ステップＳ３８を実行し、正常でなければ、ステップＳ３７を実行する。
【００５６】
ステップＳ３７において、移動測位センターがある程度の時間を隔たった後に、ステップＳ３４を実行する。
【００５７】
ステップＳ３８において、移動測位センターが新しい追跡要請を発起して、新しい追跡測位の触発が成功した後に、移動測位センターは測位クライアントへ位置要請の応答を返す必要がないため、測位クライアントにとっては、今回の新しい追跡測位は不可視なものである。
【００５８】
ステップＳ３９において、現時点の時間が連続測位終了時間に達するまで、移動測位センターは新しい追跡測位要請を行い続ける。
【００５９】
ステップＳ３１０において、移動測位センターはすべての測位リソースを解放し、連続測位を終了する。
【００６０】
図４は、本発明の実施の形態による、ネットワーク側から積極的に追跡測位を発起する時にシステムの性能を改善する応用実例のフローチャートである。図４に示すように、このプロセスは以下のステップを含む。
【００６１】
ステップＳ４１において、ネットワークから発起された追跡測位プロセスにおいて、移動端末の位置情報またはセル/セクター情報を報告するために移動端末は移動測位センターへ位置報告メッセージを報告する。
【００６２】
ステップＳ４２において、移動測位センターは移動端末へ位置報告の応答を返す。
【００６３】
ステップＳ４３において、移動測位センターは測位クライアントへ位置要請報告を返す。
【００６４】
ステップＳ４４において、移動測位センターは長時間、移動端末からの位置報告を受信しなかった時に、移動測位センターは測位実体へ地理位置の情報取り消しの要請を送信して、測位実体に前の追跡測位を取り消すことを知らせる。
【００６５】
ステップＳ４５において、測位実体は移動測位センターへ測位位置情報取り消しの応答を返す。
【００６６】
ステップＳ４６において、移動測位センターは測位クライアントと呼び出しユーザーの権限に基づいて追跡測位を続行する必要があるかどうかを判断して、必要でなければ、リソースを解放し測位フローを終了する。必要であれば、位置所属レジスタへ移動端末の現時点の状態を取得するように検索ルート要請を送信する。
【００６７】
ステップＳ４７において、位置所属レジスタは移動測位センターへ検索ルートの応答を返し、そして、移動測位センターは応答メッセージから移動端末の現時点の状態を取得して、移動端末の現時点の状態が正常であれば、ステップＳ４１１を実行して、移動端末がシャットダウン状態であれば、ステップＳ４８を実行する。
【００６８】
ステップＳ４８において、移動測位センターは測位クライアントへ位置要請報告を送信して、要請報告において今回の測位は失敗で、失敗の原因は移動端末のシャットダウンであることを指示する。
【００６９】
ステップＳ４９において、移動測位センターは今回の連続測位要請の追跡時間の間隔に基づいて、移動端末の現時点の状態を取得するように位置所属レジスタへ検索ルートの要請を送信し続ける。
【００７０】
ステップＳ４１０において、位置所属レジスタは移動測位センターへ検索ルートの応答を返し、移動測位センターは応答メッセージから移動端末の現時点の状態を取得して、移動端末の現時点の状態が正常であれば、ステップＳ４１１を実行して、移動端末が非正常状態であれば、ステップＳ４８を実行する。
【００７１】
ステップＳ４１１において、移動測位センターは移動端末へショートメッセージを発信し追跡測位要請を触発し、改めて新しい追跡測位を開始させ、ショートメッセージ触発測位要請においてユーザーが測位を許可することをデフォルトにさせて、再び移動端末の許可を申し込む必要はなく、同時にショートメッセージによる触発測位要請の位置報告時間の間隔はそのまま前回の連続測位の時間の間隔と同じである。
【００７２】
ステップＳ４１２において、移動測位センターは新しい追跡測位要請を発起して、移動端末は移動測位センターへ位置報告を報告する。
【００７３】
ステップＳ４１３において、移動測位センターは移動端末へ位置報告の応答を返す。
【００７４】
ステップＳ４１４において、移動測位センターは測位クライアントへ位置要請報告を返す。
【００７５】
図５は、本発明の実施の形態による移動通信測位システムの構造ブロック図である。図５に示すように、本発明の実施の形態による移動通信測位システムは移動測位センター１と位置所属レジスタ２とを含む。
【００７６】
移動測位センター１は、連続測位プロセスにおいて、位置所属レジスタへ移動端末の状態の検索要請を送信して、位置所属レジスタから返された移動端末の現時点の状態の応答メッセージにキャリーされた移動端末の現時点の状態に基づいて、移動端末に対する測位処理を行い、あるいは終止することに用いられる。
【００７７】
移動測位センター１は、さらに、現時点の状態が正常状態のときに連続測位を続行して、現時点の状態は移動端末のシャットダウンと、移動端末の現時点の到達不可と、移動端末の現時点の状態の取得不可能とのうち、少なくとも一つである場合、移動端末の状態が正常に回復した後に移動端末へ改めて通知を送信して、新しい連続測位を行い続けるように測位要請を触発することに用いられることが好ましい。
【００７８】
位置所属レジスタ２は、検索要請を受信して、移動端末の現時点の状態の応答メッセージを返すことに用いられる。
【００７９】
測位実体（図示されず。）がこの移動通信測位システムに含まれて、連続測位プロセスにおいて、移動測位センターは予定の時間内に移動端末からの位置結果報告を取得しなかった場合に、移動測位センターからの測位取り消し要請を受信することに用いられることが好ましい。
【００８０】
測位クライアント（図示されず。）と移動測位センター１とがこの移動通信測位システムに含まれ、さらに測位実体へ測位取り消し要請を送信した後に、測位クライアントと呼び出しユーザーの権限に基づいて追跡測位を行う必要があるかどうかを判断して、必要でなければ、リソースを解放しプロセスを終了して、移動端末に対する測位処理を終止する。必要であれば、位置所属レジスタへ要請を送信し、移動端末の現時点の状態を検索することに用いられることが好ましい。
【００８１】
本発明はネットワーク側から積極的に発起する連続測位プロセスにおいてプロセスを追加して、一方、ネットワーク側の追跡型連続測位のときのリソース利用率を高めた。一方、特殊情况で測位クライアントがタイムリーに移動端末の現時点の最新位置取得できることを保証する。
【００８２】
勿論、本発明は複数の他の実施の形態があって、本発明の要旨と実質に反しない場合に、本領域の技術者は本発明に基づく各種の修正、変形ができるが、この修正と変形は本発明の請求項の請求範囲に属する。
【図２】
2011517521.tif 000003
【図３】
2011517521.tif 000004
【図４】
2011517521.tif 000005
【図５】
2011517521.tif 000006
【図１】
2011517521.tif 000007
【国際調査報告】
2011517521.tif 000008
2011517521.tif 000009
2011517521.tif 000010
2011517521.tif 000011
2011517521.tif 000012
2011517521.tif 000013